(57)【特許請求の範囲】
【請求項１】
小便器の手前下のおだれ部に敷設されるステップを薄箱型に形成するとともに、箱型本体の上面に一又は複数個の穴を穿設し、内部に液体吸収材を装填した小便器用ステップにおいて、
前記箱型本体は、上部を開口とし底面に上端面の高さを均一にした複数の突部を等間隔に立設して等間隔に連続した上端面による上げ底部を形成した内箱と、下部を開口とし上面に複数個の穴を穿設し小便器に対向する端面を傾斜に形成した外箱とからなり、該内箱に該外箱を被せて箱体を形成したことを特徴とする小便器用ステップ。
【請求項２】
前記箱型本体は、内箱と外箱とを掛止するために、内箱の小便器側の側面に係合穴を穿設するとともに、外箱の小便器側の端面に係合突起を突設したことを特徴とする請求項１記載の小便器用ステップ。
【請求項３】
前記箱型本体は、内箱と外箱が係止するために、内箱と外箱の上下を横側面から挟持する取着部を設けたことを特徴とする請求項１記載の小便器用ステップ。
【請求項４】
前記箱型本体は、上面に一又は複数個の穴と、足置位置に複数の穴の穿設された足形状の模様部分とを設けたことを特徴とする請求項１記載の小便器用ステップ。
【請求項５】
前記突部は、略箱体の幅の長さの突条からなり、２本の突条を繋げて断面Ｕ字型に形成した溝体を底面に複数本装着した構成であることを特徴とする請求項１記載の小便器用ステップ。
【発明の詳細な説明】
【技術分野】
【０００１】
本発明は、小便器の手前下方のいわゆるおだれ部に敷設される使用者が足を乗せるステップに関し、特に、おだれ部を清潔に保つために内部に収納された吸収材等が容易に取り換え可能な構成にするとともに箱型の手前進入面にスロープをつけて躓かないように工夫を施した小便器用ステップに関する。
【背景技術】
【０００２】
通常、小便器の手前下のいわゆるおだれ部には、おだれ石が敷かれている。おだれ石は小便器から飛散した尿や洗浄水によって床面が汚れないように保護するための部材であり、御影石や磁器タイルを加工した板状体であることが多かった。しかしながら、石材を敷設しても飛散する尿や洗浄水が付着して乾燥するだけであり、積極的に清潔効果や消臭効果を発揮することはなかった。そこで、単なる石材を敷設するだけのおだれ石に替えて、小便器手前下のおだれ部に複数の穴の穿設された薄形箱体を敷設し、飛散する尿や洗浄水を箱体の中に収納した取り替え可能な吸収材等で吸収する小便器用ステップが開発され使用されている。
この箱型の小便器用ステップは、尿や洗浄水等の液体を吸収する吸収材が内部に装填できるような収納箱型に形成されており、抵抗無くと乗る事のできる薄箱型に形成されており、箱体の表面には一又は複数個の穴が穿設されていて尿や洗浄水等の液体が吸収材に容易に吸収されるように工夫されている構造である。
【０００３】
本件発明の発明者は、特願２００２−３６４０５８の開発者でもあり、本件発明で開示する技術は、上記出願で開示した小便器用ステップの欠点を改良して開発した技術である。先願に開示されている技術は、小便器使用時に飛散して小便器用ステップ本体の上面に付着する尿や洗浄水を、本体上面に穿設された多数の穴を通じて本体内に侵入させ、収納されている吸収材によって吸収するので、小便器用ステップの上面は常に清潔に保たれ、また臭気の発生を最小限に押さえることができる構成である。また、使用後の吸収材は薄箱型本体から取り出して交換することができるので、常に衛生的に保つことができる。これにより、尿や洗浄水がトイレの床面を汚すのを防止することができる技術の基礎が開発されたものである。
【０００４】
しかしながら、従来の小便器用ステップでは、吸収材が箱型本体の底部に設置されるため底部に敷かれた状態で、箱体の上面に接着していないので上面の穴までは届かず、上面に付着した尿や洗浄水が吸収材に直接接触しないので吸収され難いという問題が生じていた。また、利用者の多い病院や公共のトイレでは小便器用ステップが薄型ではあっても厚さのある箱体であるために多少の段差があって、これに躓いたり、車椅子利用者が使用できないという弊害が生じていた。
【０００５】
【特許文献１】特開２００２−３６４０５８号
【発明の開示】
【発明が解決しようとする課題】
【０００６】
本発明は、上記の問題点を解決したもので、小便器用ステップの前面端部に傾斜を設けて利用者が躓かないように配慮するとともに、箱型本体の内箱を上げ底として吸収材が上面の穴に直接接合するように押圧設置する構成とし、さらに、使用済みの吸収材の回収が容易になるように外箱と内箱が容易に着脱できるように掛止する構造とした小便器用ステップを提供することを目的とする。
【課題を解決するための手段】
【０００７】
上記の目的を達成するために本発明に係る小便器用ステップは、小便器の手前下のおだれ部に敷設されるステップを薄箱型に形成するとともに、箱型本体の上面に一又は複数個の穴を穿設し、内部に液体吸収材を装填した小便器用ステップであって、前記箱型本体は、上部を開口とし底面に上端面の高さを均一にした複数の突部を等間隔に立設して等間隔に連続した上端面による上げ底部を形成した内箱と、下部を開口とし上面に複数個の穴を穿設し小便器に対向する端面を傾斜に形成した外箱とからなり、該内箱に該外箱を被せて箱体を形成した構成である。
また、箱型本体は、内箱と外箱とを掛止するために、内箱の小便器側の側面に係合穴を穿設するとともに、外箱の小便器側の端面に係合突起を突設した構成でもある。
【０００８】
箱型本体は、内箱と外箱が係止するために、内箱と外箱の上下を横側面から挟持する取着部を設けた構成である。
また、箱型本体は、上面に一又は複数個の穴と、足置位置に複数の穴の穿設された足形状の模様部分とを設けた構成でもある。
さらに、突部は、略箱体の幅の長さの突条からなり、２本の突条を繋げて断面Ｕ字型に形成した溝状体を底面に複数本装着した構成でもある。
【発明の効果】
【０００９】
上記詳述した本発明にかかる小便器用ステップによれば、次のような効果を奏することができる。
１、箱型本体の上面に飛散して付着する尿や洗浄水は、上げ底に形成された底部の上に搭載された吸収材が上方に押圧されているために尿や洗浄水に接触しやすいので効果的に液体を吸収できるため、小便器用ステップの上面は常に清潔に保たれる。また、前面の端部をスロープとすることにより躓くことがなく、かつ車椅子利用者でも傾斜を利用して小便器用ステップを使用することができるという利便性が増した。
２、箱型本体の内箱と外箱とを外部より容易に操作できる掛止構造としたため、外箱を全部外すことなく内箱に装填された吸収材を容易に交換できるので作業性がよくなった。また、尿や洗浄水により吸収材が膨張しても外箱が浮くことを防ぐことができる。
３、取着部が箱型本体の側面部において内箱と外箱の上下を横側面から挟持する構成としたため、この点でも作業性がよくなった。
４、本体上面の足置位置に足形状の模様と穴を穿設したため、使用者の足の位置が定位置に定まりやすく、トイレの床面を汚すのを防止することができる。
５、内箱の底部を上げ底に形成したために、上げ底部の上に吸収材が置かれる構造となり、吸収材が持ち上げられて上面の裏面に密着し上面の表面にある液体を吸収する効率がよくなった。
【発明を実施するための最良の形態】
【００１０】
以下に本発明を図面に示す実施例により詳細に説明する。図１は本発明に係る小便器用ステップの斜視図であり、破線はストール型小便器に用いる場合の形状を示している。図２は同じく小便器用ステップの分解斜視図である。図３は使用状態を示す図であり、（ａ）は壁掛型小便器の場合を示し、（ｂ）はストール型小便器の場合を示す。
小便器用ステップ１０は、上部を開口とした内箱２０と下部を開口とした外箱３０と吸収材４０とから構成されている。
小便器用ステップ１０は、内箱２０と外箱３０と吸収材４０とから成る箱型本体１１からなり、上部が開口に形成されている内箱２０の上に、下部が開口に形成されている外箱３０を被せて箱型本体１１を形成する構成である。また、箱型本体１１の上面である外箱の上面には複数個の穴３２が穿設されている構成であり、小便器の前下部のおだれ石の置かれる位置に設置される。
【００１１】
箱型本体１１は、図１の小便器用ステップの斜視図に示す通り、内箱２０と外箱３０とからなり、内箱に外箱を被せて箱体を形成している。箱型本体の中には、吸収材４０が収納される。箱型本体１１は、小便器の手前下のおだれ部に敷設される石板からなるおだれ石に替わって敷設される薄型の箱体である。図２は本発明に係る小便器用ステップ１０の分解斜視図である。
【００１２】
この箱体の内箱２０は、吸収材を挿着するために上部が開口となっており、底面には高さを均一にした複数の突部２７が立設されている。また、外箱３０と係合する為の掛止穴２２と取着部２４が設けられている。
複数の突部２７を立設することにより全体の底面が上げ底部を形成している。上げ底部の上に吸収材４０が乗せられる。底面の上にのせられる吸収材４０の設置位置は従来の小便器用ステップの吸収材より上に持ち上げられ上面の裏面によく押し付けられた状態となる。これにより上面に開けられた穴に近づくので漏れた尿や洗浄水が容易に吸収される。
マット状の吸収材は本体の上面に均一に接触される。突起の高さは均一であることが望ましい。
【００１３】
図４において突部２７の実施例を示す。この内箱２０の底面に立設した突部２７は、略箱体の幅の長さの突条からなり、２本の突条を繋げて断面Ｕ字型に形成した溝状体２９を底面に装着した構成である。突部２７の高さは内箱の高さより低く、突部２７の上端面は均一に作成されている。突部２７を繋げて形成されたＵ字型の溝状体２９は、内箱２０の底面に等間隔に複数装着され、等間隔に連続した突部２７の上端面により上げ底部を形成している。
【００１４】
この箱体の外箱３０は、内箱２０の外枠の幅より大きめに作成されている。
外箱３０は下部を開口として、内箱を覆って設置される。外箱の上面には複数個の穴３２が穿設されている。また、外箱の小便器に対向する端面には傾斜面７０が形成されている。
【００１５】
穴３２の形状は実施例では円形であるが、長円形あるいは正方形、長方形等々を適宜選択することができる。箱型本体の上面には一面に穴が設けられている。穴の数は限定されないが、一または複数個の穴が穿設されている。また、穴３２は足置位置に複数の穴の穿設された足形状の模様部分とを設けている。足形状に穴を穿設することにより、使用者の足置位置が定まりやすく、トイレの床面を汚すのを防止することができる。
【００１６】
吸収材４０は、液体を吸収する厚布帯の部材であり、不織布等の中に高吸水性の樹脂を混入させたものが使用されている。液体を吸収する機能を有する素材であればその素材形状はここでは種類を問わない。吸収材４０は、小便器用ステップ１０を構成する箱体１１の本体内に装填される。この実施例では箱体の形状が四角形であるので、吸収材の形状も薄体からなる長方形に形成されている。吸収材の形状も限定されることはない。吸収材４０は使用されることにより尿や洗浄水を吸収し体積が膨張する。体積の膨張により穴３２から盛り上ると接触面積がさらに増える。このため、液体の表面張力に関わらず本体上面に付着している尿や洗浄水も吸収しやすい。
【００１７】
外箱３０には小便器に対向する端面に傾斜７０がつけてある。傾斜７０は小便器用ステップ上面とトイレ床面とを緩斜面で繋いでいる。この傾斜により使用者が躓くのを防止できるだけでなく車椅子利用者も使用できる。
内箱２０および外箱３０の材質は金属、合成樹脂等を用いることができるが、特にステンレスが好適に用いられる。ステンレスは腐食に強く耐久性があり、金属光沢が清潔感を与えるためである。なお、人が乗ることを考慮し、強度を高めるために内箱２０や外箱３０の内部に梁を設けてもよい。
【００１８】
図３は本発明に係る小便器用ステップ１０をトイレ内に設置した状態を示す図である。図３（ａ）は壁掛型小便器に用いる場合であり、小便器用ステップ１０は小便器５０手前直下の床の上に敷設される。
なお、図３（ｂ）のようにストール型小便器５１に用いる場合には、小便器用ステップ１０の形状は小便器５１の下部の形状に合わせたものとすると便利である。小便器用ステップ１０の形状は、その他のストール型小便器の下部の形状に合わせる事も可能である。また、小便器用ステップ１０は、フック等で床面に着脱可能に固定する構成としてもよい（図示省略）。
【００１９】
飛散して小便器用ステップ１０に付着した尿や洗浄水は、多数の穴３２を通じて小便器用ステップ１０の内部に侵入し、上面に接触した吸収材４０によって効果的に吸収されるので、異臭を放することもなく、また使用者の靴等を汚す心配がない。また、トイレの床面の外観を清潔に保つことができる。
【００２０】
小便器ステップ１０は横側面の取着部２４を外し、外箱３０を開けて内部の吸収材４０を交換する。
図５において取着部２４の実施例を示す。取着部２４は内箱の下面に設けられ、箱型本体の厚みより大きな幅を持ったコの字型断面の挟持部により内箱と外箱の上下を横側面から挟持する。取着部２４には外しやすいように摘みが設けられている。この構造により尿や洗浄水の吸収により膨張した吸収材による箱型本体の外箱３０の浮き上りを防止できる。
【００２１】
図６において係合穴２２と係合突起３４の掛止状態の実施例を示す。内箱の小便器側の側面には係合穴２２が穿設され、外箱の小便器側の端面には係合突起３４が突設されており、内箱２０と外箱３０を掛止している。取着部２４を外すと内箱の係合穴２２と外箱の係合突起３４との掛止により、外箱３０を箱型本体の蓋となるように開閉することが可能であり、吸収材４０の交換が容易にできる。また、内箱２０と外箱３０は取り外しも可能であるため箱型本体の清掃も容易であり、小便器用ステップ１０を清潔に保つことができる。なお、小便器ステップ１０を本体ごと回収し、別の場所で吸収材４０を交換することもできる。
【図面の簡単な説明】
【００２２】
【図１】本発明に係る小便器用ステップの斜視図
【図２】本発明に係る小便器用ステップの分解斜視図
【図３】（ａ）（ｂ）本発明に係る小便器用ステップをトイレ内に設置した状態を示す図
【図４】（ａ）（ｂ）本発明に係る突部の斜視図と断面図
【図５】本発明に係る取着部の斜視図
【図６】本発明に係る係合穴と係合突起の掛止状態を示す図
【符号の説明】
【００２３】
１０  小便器用ステップ
１１  箱型本体
２０  内箱
３０  外箱
３２  穴
４０  吸収材
２２  係合穴
２４  取着部
２７  突部
２９  溝状体
３４  係合突起
７０  傾斜
５０  小便器
５１  小便器
【図１】
0004771469.tif 000002
【図２】
0004771469.tif 000003
【図３】
0004771469.tif 000004
【図４】
0004771469.tif 000005
【図５】
0004771469.tif 000006
【図６】
0004771469.tif 000007